(57)【要約】【課題】並設されている火力調節つまみの突出位置がばらつくと、並設されている火力調節つまみが突出した状態での突出量が均一にならないため、高級感が損なわれるという不具合が生じる。【解決手段】並設され隣り合うように設けられている全ての火力調節つまみに、器具外部方向に突出した状態で器具の前面パネルの内面に当接して、この前面パネルからの火力調節つまみの突き出し量を他の火力調節つまみの突き出し量と揃える規制部を設けた。【選択図】  図２
2018084366.tif 000002
【特許請求の範囲】
【請求項１】
器具上面である天板に複数個の加熱部を備え、これら各加熱部での加熱量を個別に調節する加熱調節つまみが上記加熱部毎に設けられており、これら加熱調節つまみは、器具の表面に埋没した状態から器具内部方向に押し込むことによって埋没状態でのロックが解除され、器具外部方向に突出して上記加熱部の加熱量を調節できる状態になるものであって、複数個の加熱調節つまみのうちの少なくとも２個が隣り合うように設けられているコンロ装置において、上記隣り合うように設けられている全ての加熱調節つまみに、器具外部方向に突出した状態で器具の前面パネルの内面に当接して、この前面パネルからの加熱調節つまみの突き出し量を他の加熱調節つまみの突き出し量と揃える規制部を設けたことを特徴とするコンロ装置。
【請求項２】
上記加熱調節つまみは円筒面を備えており、この加熱調節つまみが通過する円形の開口が上記前面パネルに設けられており、少なくとも加熱調節つまみが器具外部方向に突出した状態で、加熱調節つまみの円筒面と上記円形の開口との隙間が全周にわたって均一になるようにする求心構造を設けたことを特徴とする請求項１に記載のコンロ装置。
【発明の詳細な説明】
【技術分野】
【０００１】
本発明は、天板に複数個の加熱部を備えたコンロ装置に関する。
【背景技術】
【０００２】
例えば加熱部としてガスバーナを備えたガスコンロ装置では、ガスコンロ装置の上面である天板に複数個のガスバーナを備えているものがある。このように複数個のガスバーナを備えている場合には各ガスバーナの火力を個別に調節する必要があるので、各ガスバーナ毎に火力調節装置が設けられている。
【０００３】
これら火力調節装置は外周面に円筒面を備えた円柱状の火力調節つまみを備えている場合がある。更に、デザイン上の要請から、ガスバーナを使用しない状態ではこの火力調節つまみがガスコンロ装置の前面パネルに埋没しており、ガスバーナに点火して使用する際に火力調節つまみを押し込むと、火力調節つまみに対するロックが解除されて、バネ力によって火力調節つまみが手前側に突出するように構成されたものが知られている（例えば、特許文献１参照）。
【先行技術文献】
【特許文献】
【０００４】
【特許文献１】特開２０１５−１９０６４８号公報（[００１５]、[００２４]、図１）
【発明の概要】
【発明が解決しようとする課題】
【０００５】
上述のようなガスコンロ装置では、火力調節つまみは器具本体内に取り付けられている火力調節ユニットの手前側端部に設けられており、火力調節つまみが手前側に突出した位置は火力調節ユニットの取り付け位置によって決定される。すなわち、複数個の火力調節ユニットの前後方向の取り付け位置がばらつくと、各火力調節ユニットに設けられている火力調節つまみの突出位置がばらつくことになる。このため、火力調節つまみが並設されている場合には、並設されている火力調節つまみが突出した状態での突出量が均一にならないため、高級感が損なわれるという不具合が生じる。
【０００６】
なお、火力調節ユニットの前後方向の取り付け誤差を厳しくしても、火力調節ユニットに対する火力調節つまみの相対位置のばらつきも存在するので、火力調節ユニットの取り付け位置を調節することによって火力調節つまみの突出量のばらつきを解消することは現実的ではない。
【０００７】
そこで本発明は、上記の問題点に鑑み、確実に火力調節つまみなどの加熱調節つまみの突出量のばらつきを解消することのできるコンロ装置を提供することを課題とする。
【課題を解決するための手段】
【０００８】
上記課題を解決するために本発明によるコンロ装置は、器具上面である天板に複数個の加熱部を備え、これら各加熱部での加熱量を個別に調節する加熱調節つまみが上記加熱部毎に設けられており、これら加熱調節つまみは、器具の表面に埋没した状態から器具内部方向に押し込むことによって埋没状態でのロックが解除され、器具外部方向に突出して上記加熱部の加熱量を調節できる状態になるものであって、複数個の加熱調節つまみのうちの少なくとも２個が隣り合うように設けられているコンロ装置において、上記隣り合うように設けられている全ての加熱調節つまみに、器具外部方向に突出した状態で器具の前面パネルの内面に当接して、この前面パネルからの加熱調節つまみの突き出し量を他の加熱調節つまみの突き出し量と揃える規制部を設けたことを特徴とする。
【０００９】
加熱調節つまみの器具からの突き出し量を、器具の前面パネルの内面を基準にすることによって、加熱調節つまみの突き出し量のばらつきを解消する。
【００１０】
なお、加熱調節つまみと前面パネルとの隙間の狭い個所が生じると、その部分に煮こぼれなどの液状物が毛管現象で滞留することになる。そこで、上記加熱調節つまみは円筒面を備えており、この加熱調節つまみが通過する円形の開口が上記前面パネルに設けられており、少なくとも加熱調節つまみが器具外部方向に突出した状態で、加熱調節つまみの円筒面と上記円形の開口との隙間が全周にわたって均一になるようにする求心構造を設ければ、液状物の液切れが良くなり、加熱調節つまみの周囲に液状物が滞留しない。
【発明の効果】
【００１１】
以上の説明から明らかなように、本発明は、加熱調節つまみの突き出し量を器具の前面パネルの内面を基準とすることにって、簡便にかつ確実に加熱調節つまみの突き出し量のばらつきを解消することができる。
【図面の簡単な説明】
【００１２】
【図１】本発明の一実施の形態の構成を示す図
【図２】火力調節部および火力調節つまみの構造を示す断面図
【図３】火力調節つまみの構造を示す斜視図
【図４】第２の実施の形態における火力調節つまみの構造を示す断面図
【図５】第２の実施の形態における火力調節つまみの構造を示す斜視図
【発明を実施するための形態】
【００１３】
図１を参照して、１は本発明によるコンロ装置の一例であって、ガスを燃料とするガスコンロ装置である。このガスコンロ装置１の天板１１上には３個のガスバーナ１２ａ，１２ｂ，１２ｃが設けられている。そして、これら３個のガスバーナの各々に対応して各ガスバーナの火力を調節する円筒状の火力調節つまみ１３ａ，１３ｂ，１３ｃが、ガスコンロ装置１の前面パネル２に等間隔で並設されている。なお、この前面パネル２にはグリル庫１４が設けられており、このグリル庫１４内での加熱量を調節する円筒状の火力調節つまみ１４ａがグリル庫１４を挟んで反対側に設けられている。
【００１４】
この火力調節つまみ１４ａを含めて他の火力調節つまみ１３ａ、１３ｂ、１３ｃは通常は前面パネル２に埋設されているが、使用時には前面パネル２から手前側に突出するように構成されている。このため、特に並設されている３個の火力調節つまみ１３ａ，１３ｂ，１３ｃの突出量がばらついているとガスコンロ装置１の高級感が損なわれるので、少なくとも３個の火力調節つまみ１３ａ，１３ｂ，１３ｃの突き出し量のばらつきを解消する必要がある。
【００１５】
そこで、図２を参照して、火力調節つまみ１３ｃを例に、火力調節つまみ１３ｃの突き出し量を規制する構成について説明する。同図（ａ）に示すように、火力調節装置１３の手前側端部に設けられている火力調節つまみ１３ｃは前面パネル２に埋設されている。この状態から、（ｂ）に示すように、ガスバーナ１２ｃに点火するために火力調節つまみ１３ｃを押し込むと、火力調節つまみ１３ｃに対するロックが解除されて、（ｃ）に示すように、火力調節つまみ１３ｃは手前側に突出する。
【００１６】
なお、前面パネル２にはリング２１が設けられており、火力調節つまみ１３ｃはこのリング２１の内周面２２に接触しないように前後方向に進退するように構成されている。なお、この内周面２２が特許請求の範囲に記載した開口に相当する。
【００１７】
そして、図３を合わせて参照して、火力調節つまみ１３ｃの奥側端部に、リング２１の内周面２２よりも直径が大きな鍔状のフランジ１５を設けて、火力調節つまみ１３ｃが手前側に突出した際に、このフランジ１５がリング２１に当接して突き出し量が規制されるようにした。なお、このフランジ１５が特許請求の範囲に記載した規制部に相当する。
【００１８】
なお、飛び出した状態の火力調節つまみ１３ｃは火力調節のために回動されるが、その際、フランジ１５とリング２１との接触面積が大きいと摺動抵抗が大きくなるので、フランジ１５に３個の突起１６を等間隔で設けて、火力調節つまみ１３ｃが回動する際には、突起１６の頂点のみでリング２１に接触して摺動抵抗が大きくならないようにした。
【００１９】
ところで、上述のように、火力調節つまみ１３ｃが突出した状態で回動する際には、火力調節つまみ１３ｃの円筒面Ａがリング２１の内周面２２に接触しないように構成されているが、火力調節つまみ１３ｃの中心軸とリング２１の中心軸とがずれて、火力調節つまみ１３ｃの円筒面Ａとリング２１の内周面２２との間に形成される環状の隙間の間隔に広狭が生じると、狭い部分に浸入した煮こぼれ等の液状物が毛細管現象でその位置に滞留するおそれが生じる。このような不具合を解消するため、この環状の隙間の間隔を均一にする必要がある。
【００２０】
そこで、図４および図５に示す、求心構造１７を設けることが望ましい。すなわち、火力調節つまみ１３ｃ側に、突起１６に挟まれた位置に斜面部１７ａを設け、リング２１側に、この斜面部１７ａに対応するテーパ穴面１７ｂを設けた。このように、求心構造１７は斜面部１７ａとテーパ穴面１７ｂとによって構成されることになる。
【００２１】
なお、図４に示すように、火力調節つまみ１３ｃが突出した状態では、突起１６の頂点がリング２１に接触し、斜面部１７ａはリング２１のテーパ穴面１７ｂに当接しない寸法にした。これにより、火力調節つまみ１３ｃを回動する際に、斜面部１７ａとテーパ穴面１７ｂとの間で摩擦による抵抗が生じないようにした。
【００２２】
そして、火力調節つまみ１３ｃとリング２１の内周面２２との隙間ｔ１よりも、斜面部１７ａとテーパ穴面１７ｂとの隙間ｔ２が狭くなるように設定した。このように構成することにより、火力調節つまみ１３ｃが内周面２２に対して偏心した場合、斜面部１７ａとテーパ穴面１７ｂが当接して偏心が抑えられ、火力調節つまみ１３ｃの円筒面Ａとリング２１の内周面２２との隙間ｔ１は一定の寸法以上に保持されて、全周にわたって略均一に保たれ、隙間ｔ１内の液切れがよくなり、この円筒面Ａとリング２１の内周面２２との隙間ｔ１に液状物が滞留する不具合が生じない。
【００２３】
なお、本発明は上記した形態に限定されるものではなく、本発明の要旨を逸脱しない範囲内において種々の変更を加えてもかまわない。例えば、上記実施の形態では、ガスを燃料とするガスコンロ装置について説明したが、例えば電力により加熱するＩＨコンロ装置等にも適用することができる。
【符号の説明】
【００２４】
１  ガスコンロ装置
２  前面パネル
１１  天板
１２ａ，１２ｂ，１２ｃ  ガスバーナ
１３  火力調節つまみ
１５  フランジ（規制部）
１６  突起
１７  求心構造
１７ａ  斜面部
１７ｂ  テーパ穴面
２１  リング
２２  内周面（開口）
Ａ    円筒面
【図１】
2018084366.tif 000003
【図２】
2018084366.tif 000004
【図３】
2018084366.tif 000005
【図４】
2018084366.tif 000006
【図５】
2018084366.tif 000007